(57)【要約】本開示は、静電容量式タッチパネルの構造及びその製造方法に関する。当該構造は、検出電極と周辺回路とを備え、各々の検出電極は、複数の導電ユニットと、当該導電ユニットを接続するための複数の導線と、を備え、当該導線及び周辺回路は、導電特性を有する感光材料で作成されている。【選択図】図２
2014519115.tif 000002
【特許請求の範囲】
【請求項１】
検出電極は、複数の導電ユニットと、前記導電ユニットを接続するための複数の導線と、を備え、
前記導線は、導電特性を有する感光材料で作成されている静電容量式タッチパネル。
【請求項２】
前記導電特性を有する感光材料は、金属粒子がドープされた感光材料である請求項１に静電容量式タッチパネル。
【請求項３】
前記金属粒子は、金、銀、銅、鉄又はアルミニウム、及びそれらの任意の組み合わせの１以上を備える請求項２に記載の静電容量式タッチパネル。
【請求項４】
前記導電特性を有する感光材料は、炭素粒子がドープされた感光材料である請求項１に記載の静電容量式タッチパネル。
【請求項５】
前記検出電極は、第１軸方向に配置された第１の検出電極と、第２軸方向に配置された第２の検出電極と、を含み、さらに、前記第１の検出電極と、前記第２の検出電極と、の間に配置された絶縁層を含む請求項１に記載の静電容量式タッチパネル。
【請求項６】
各々の前記第１の検出電極は、複数の第１の導電ユニットと、前記第１の導電ユニットを接続する複数の第１の導線と、を備え、
各々の前記第２の検出電極は、複数の第２の導電ユニットと、前記第２の導電ユニットを接続する複数の第２の導線と、を備える請求項５に記載の静電容量式タッチパネル。
【請求項７】
前記絶縁層は、複数の開口を有する絶縁フィルムであって、
前記第１の導電ユニット、前記第２の導電ユニット、及び前記第１の導線は、前記第２の導電ユニットと並べられた複数の開口を有する前記絶縁フィルムの背面に配置され、
前記第２の導線は、前記絶縁フィルムの前面に配置され、前記第２の導電ユニットを接続するために複数の開口を介している請求項６に記載の静電容量式タッチパネル。
【請求項８】
前記絶縁層は、複数の絶縁ブロックを備え、
前記絶縁ブロックは、複数の第１の導線と複数の第２の導線との間に配置されている請求項６に記載の静電容量式タッチパネル。
【請求項９】
前記検出電極は、周辺回路に接続されている請求項１に記載の静電容量式タッチパネル。
【請求項１０】
前記周辺回路及び前記導線は、前記導電特性を有する感光材料で作成されている請求項９に記載の静電容量式タッチパネル。
【請求項１１】
前記第１の導電ユニット、前記第２の導電ユニット、及び前記第１の導線は、透明導電材料で作成され、
前記第２の導線は、導電特性を有する感光材料で作成されている請求項６に記載の静電容量式タッチパネル。
【請求項１２】
前記絶縁層は、透明絶縁材料で作成されている請求項５に記載の静電容量式タッチパネル。
【請求項１３】
基板上に複数の導電ユニットを配置し、
検出電極を形成するために前記導電ユニットを接続する複数の導線を配置し、
前記導線は、導電特性を有する感光材料で作成する静電容量式タッチパネルの製造方法。
【請求項１４】
前記導電特性を有する感光材料は、金属粒子がドープされた感光材料である請求項１３に記載の静電容量式タッチパネルの製造方法。
【請求項１５】
前記金属粒子は、金、銀、銅、鉄又はアルミニウム、及びそれらの任意の組み合わせの１以上である請求項１４に記載の静電容量式タッチパネルの製造方法。
【請求項１６】
前記導電特性を有する感光材料は、炭素粒子がドープされた感光材料である請求項１３に記載の静電容量式タッチパネルの製造方法。
【請求項１７】
前記検出電極は、第１軸方向に配置された第１の検出電極と、第２軸方向に配置された第２の検出電極と、を備え、
前記第１の検出電極と前記第２の検出電極との間に絶縁層を配置する工程を備える請求項１３に記載の静電容量式タッチパネルの製造方法。
【請求項１８】
各々の前記第１の検出電極は、複数の第１の導電ユニットを備え、
各々の前記第２の検出電極は、複数の第２の導電ユニットを備え、
前記導線は、前記第１の導電ユニットを接続する複数の第１の導線と、前記第２の導電ユニットを接続する複数の第２の導線と、を含む請求項１７に記載の静電容量式タッチパネルの製造方法。
【請求項１９】
前記基板上に、前記第１の導電ユニット、前記第２の導電ユニット、及び前記第１の導線を同時に配置し、
前記第１の導電ユニット、前記第２の導電ユニット、及び前記第１の導線の表面に複数の開口を有する絶縁フィルムを配置し、前記開口を前記第２の導電ユニットと並べる工程をさらに備える請求項１８に記載の静電容量式タッチパネルの製造方法。
【請求項２０】
前記基板上に、前記第１の導電ユニット、前記第２の導電ユニット、及び前記第１の導線を同時に配置し、
前記第１の導線の表面に絶縁ブロックを配置し、
前記絶縁ブロックの表面に前記第２の導線を配置する工程をさらに備える請求項１８に記載の静電容量式タッチパネルの製造方法。
【請求項２１】
前記検出電極と接続された周辺回路を配置する工程をさらに備える請求項１３に記載の静電容量式タッチパネルの製造方法。
【請求項２２】
前記周辺回路を配置する工程、及び複数の前記導線を配置する工程は、同時に実行する請求項２１に記載の静電容量式タッチパネルの製造方法。
【発明の詳細な説明】
【技術分野】
【０００１】
本発明は、静電容量式タッチ制御技術に関し、特に静電容量式タッチパネルの構造及びその製造方法に関する。
【背景技術】
【０００２】
一般的に、タッチパネルは、基板表面上に検出領域を備えることによって成しており、タッチ制御の目的を達成するために、検出領域が人の指又はペンのような筆記道具を検出する。透明導電フィルム（例えば、酸化インジウムスズ(ITO)）は、通常、ユーザが表示部の画面に対応する透明導電フィルムにタッチ又は当該透明導電フィルムを押圧するとタッチ制御機能が実現されるように、検出領域のための材料として採用されている。
【０００３】
タッチ制御原理に基づいて、タッチパネルは、種々の形式に分類することができる。その中、透過率、硬さ、正確さ、反応時間、タッチ入力の寿命、動作温度、及び始動力を含む全ての面で長所を有する静電容量式タッチパネルは、多数採用されている。
【０００４】
図１は、従来の静電容量式タッチパネルを示す概略図である。静電容量式タッチパネル１０は、基板１２、基板１２の第１軸方向に配置された第１の検出電極１４、及び基板１２の第２軸方向に配置された第２の検出電極１６を備えている。図１において、ユーザが指又は接地された他の導電体を静電容量式タッチパネル１０に接触させると、タッチ制御点１８が形成され、接触された第１の検出電極１４と第２の検出電極１６とで容量の変化が生じる。そして、このシステム（図示を省略）は、容量の変化が生じた検出電極の位置に基づいて、指が静電容量式タッチパネル１０に接触したタッチ制御点１８の位置を決定する。
【０００５】
静電容量式タッチパネル１０を成すために、基板１２上に第１の検出電極１４及び第２の検出電極１６を実装することは重要である。検出電極は、通常、基板１２上の導電フィルムを覆い、所望のパターンを得るためにフォトエッチングによって不要な領域を除去することによって形成される。
【０００６】
従来の静電容量式タッチパネルにおいて、通常、検出電極は、金属電極材料又は透明導電材料（例えば、ITO）で作成されている。金属電極材料の利用は、裸眼で材料が見えることを許し、また、外気に露出することによって酸化され易い。透明導電材料を用いると、裸眼で材料が見える問題はなくなるが、酸化の問題が残存する。したがって、金属電極材料又は透明導電材料の何れを用いるかに関わりなく、検出電極を保護層で覆う必要があり、タッチパネルの表面に保護層を作成する工程が増加する。
【発明の概要】
【課題を解決するための手段】
【０００７】
本開示は、導電ユニット及び当該導電ユニットを接続する導線を有する検出電極を備え、当該導線は導電特性を有する感光材料で作成されている静電容量式タッチパネルの構造及びその製造方法を提供する。導電特性を有する感光材料は、感光特性と共に導電特性を備えており、タッチパネルの全体外観が調和されるように、導線は裸眼で視認され難く、同時に良好な電気接続を得る。また、導電特性を有する感光材料は、化学的に安定しており、外気に露出された時の酸化の問題を改善し、それ故にタッチパネルの表面に保護層を作成する工程を省略することができる。
【０００８】
本開示は、複数の導電ユニット及び当該導電ユニットを接続するための複数の導線を有する検出電極を備え、前記導線は、導電特性を有する感光材料で作成されていることを特徴とする静電容量式タッチパネルの構造を提供する。
【０００９】
本開示によれば、静電容量式タッチパネルの構造は、導電特性を有する感光材料が、金属粒子がドープされた感光材料であることを特徴とする。
【００１０】
本開示によれば、静電容量式タッチパネルの構造は、前記金属粒子が、金、銀、銅、鉄又はアルミニウム、及びそれらの任意の組み合わせの１以上であることを特徴とする。
【００１１】
本開示によれば、静電容量式タッチパネルの構造は、前記導電特性を有する感光材料が、炭素粒子がドープされた感光材料であることを特徴とする。
【００１２】
本開示によれば、静電容量式タッチパネルの構造は、前記検出電極が、第１軸方向に配置された第１の検出電極と、第２軸方向に配置された第２の検出電極と、を含み、さらに前記第１の検出電極と前記第２の検出電極との間に配置された絶縁層を含むことを特徴とする。
【００１３】
本開示によれば、静電容量式タッチパネルの構造は、各々の前記第１の検出電極が、複数の第１の導電ユニットと、前記第１の導電ユニットを接続する複数の第１の導線と、を含み、各々の前記第２の検出電極は、複数の第２の導電ユニットと、前記第２の導電ユニットを接続する複数の第２の導線と、を含むことを特徴とする。
【００１４】
本開示によれば、静電容量式タッチパネルの構造は、前記絶縁層が、前記第１の導線と前記第２の導線との間に夫々配置された複数の絶縁ブロックを含むことを特徴とする。
【００１５】
本開示によれば、静電容量式タッチパネルの構造は、前記検出電極が周辺回路に接続されていることを特徴とする。
【００１６】
本開示によれば、静電容量式タッチパネルの構造は、前記周辺回路及び前記導線が、導電特性を有する等しい感光材料で作成されていることを特徴とする。
【００１７】
本開示によれば、静電容量式タッチパネルの構造は、前記第１の導電ユニット、前記第２の導電ユニット、及び前記第１の導線が、透明導電材料で作成されていることを特徴とする。
【００１８】
本開示によれば、静電容量式タッチパネルの構造は、前記絶縁層が、透明絶縁材料で作成されていることを特徴とする。
【００１９】
本開示は、基板上に複数の導電ユニットを配置し、検出電極を形成するために前記導電ユニットに接続する複数の導線を配置し、前記導線を導電特性を有する感光材料で作成する静電容量式タッチパネルの製造方法を提供する。
【００２０】
本開示によれば、静電容量式タッチパネルの製造方法は、前記導電特性を有する感光材料が、金属粒子がドープされた感光材料であることを特徴とする。
【００２１】
本開示によれば、静電容量式タッチパネルの製造方法は、前記金属粒子が、金、銀、銅、鉄又はアルミニウム、及びこれらの任意の組み合わせの１以上を含むことを特徴とする。
【００２２】
本開示によれば、静電容量式タッチパネルの製造方法は、前記導電特性を有する感光材料が、炭素粒子がドープされた感光材料であることを特徴とする。
【００２３】
本開示によれば、静電容量式タッチパネルの製造方法は、前記検出電極が、第１軸方向に配置された第１の検出電極と、第２軸方向に配置された第２の検出電極と、を含み、前記方法は、さらに前記第１の検出電極と前記第２の検出電極との間に絶縁層を配置する工程を含むことを特徴とする。
【００２４】
本開示によれば、静電容量式タッチパネルの製造方法は、各々の前記第１の検出電極が、複数の第１の導電ユニットを含み、各々の第２の検出電極は、複数の第２の導電ユニットを含み、前記導線は、前記第１の導電ユニットを接続する複数の第１の導線と、前記第２の導電ユニットを接続する複数の第２の導線と、を含むことを特徴とする。
【００２５】
本開示によれば、静電容量式タッチパネルの製造方法は、以下の工程を含み、
基板上に、第１の導電ユニット、第２の導電ユニット、及び第１の導線を同時に配置し、
前記第１の導電ユニット、前記第２の導電ユニット、及び前記第１の導線の表面に複数の開口を有する絶縁フィルムを配置して前記開口を前記第２の導電ユニットと並べ、
前記絶縁フィルムの表面に第２の導線を配置することを特徴とする。
【００２６】
本開示によれば、静電容量式タッチパネルの製造方法は、以下の工程を含み、
基板上に、第１の導電ユニット、第２の導電ユニット、及び第１の導線を同時に配置し、
各々の前記第１の導線の表面に絶縁ブロックを配置し、
前記絶縁ブロックの表面に前記第２の導線を配置することを特徴とする。
【００２７】
本開示によれば、静電容量式タッチパネルの製造方法は、前記検出電極と接続される周辺回路を配置することを特徴とする。
【００２８】
本開示によれば、静電容量式タッチパネルの製造方法は、周辺回路を配置する工程及び複数の導線を配置する工程を、同時に行うことを特徴とする。
【図面の簡単な説明】
【００２９】
【図１】図１は従来の静電容量式タッチパネルを示す概略図である。
【図２】図２は本開示の第１の実施の形態に係る静電容量式タッチパネルの構造を示す概略図である。
【図３】図３は本開示の第１の実施の形態に係る静電容量式タッチパネルを作成する第１の工程を示す概略図である。
【図４】図４は本開示の第１の実施の形態に係る静電容量式タッチパネルを作成する第２の工程を示す概略図である。
【図５】図５は第２の工程が完了した後の本開示の第１の実施の形態に係る静電容量式タッチパネルの部分拡大図である。
【図６】図６は本開示の第２の実施の形態に係る静電容量式タッチパネルの構造を示す概略図である。
【図７】図７は本開示の第２の実施の形態に係る静電容量式タッチパネルを作成する第１の工程を示す概略図である。
【図８】図８は本開示の第２の実施の形態に係る静電容量式タッチパネルを作成する第２の工程を示す概略図である。
【発明を実施するための形態】
【００３０】
本発明の望ましい形態を、図面を参照しながら以下に説明する。
【００３１】
図２は、本開示の第１の実施の形態に係る静電容量式タッチパネルの構造を示す概略図である。図２において、静電容量式タッチパネル２０は、検出電極、絶縁フィルム３２、及び周辺回路４０を備える。
【００３２】
一実施の形態において、検出電極は、第１軸方向に配置された第１の検出電極２８、及び第２軸方向に配置された第２の検出電極３０を含む。第１の検出電極２８は、複数の第１の導電ユニット２２、及び第１の導電ユニット２２を接続する第１の導線２６を備える。第２の検出電極３０は、複数の第２の導電ユニット２４、及び第２の導電ユニット２４を接続する第２の導線４２を備える。
【００３３】
他の実施の形態において、周辺回路４０は、周辺回路４０によって制御回路（図示を省略）に接触が伝送されることに起因して、容量変化が第１の検出電極２８と第２の検出電極３０とを介して生じるように、第１の検出電極２８と第２の検出電極３０とを接続する。
【００３４】
他の実施の形態において、第１の導電ユニット２２、第２の導電ユニット２４、及び第１の導線２６は、透明導電材料で作成されている。他方、周辺回路４０及び第２の導線４２は、導電特性を有する感光材料で作成されている。導電特性を有する感光材料は、金属粒子及び／又は炭素粒子がドープされた感光材料である。金属粒子は、金、銀、銅、鉄又はアルミニウム、及びそれらの任意の組み合わせを含む。
【００３５】
一般的な感光材料（フォトレジストと一般的に称される）は、導電性ではない。本実施の形態において、導電特性を有する感光材料は、従来の感光材料に金、銀、銅、鉄若しくはアルミニウムを含む導電金属粒子若しくは導電炭素粒子をドープする、又は導電特性を得るためにそれらの任意の組み合わせをドープすることによって得られる。また、感光材料それ自体は、感光性で高度に化学的に安定した状態であり、導電性感光材料は、導電特性、感光性、及び高度に化学的に安定した状態を同時に備えるものである。導線又は周辺回路は、導電性感光材料で作成されると、導電ユニットへの良好な電気的接続は、検出電極を形成するために確立されることができる。また、上述したように追加の保護層が必要ないので、外気に露出することによって酸化し易い導線の問題を、提案した導線によって解決することもできる。
【００３６】
また、感光材料は薄いので、導電特性を有する感光材料が導線又は周辺回路を作成するために用いられると、感光材料は上述のドープによってシート抵抗を有する。フィルムの寸法に適用されると、シート抵抗は一般的に表面抵抗又はフィルム抵抗と称される。シート抵抗は、四角形の大きさに関係なく等しい測定値を有する特性を備える。言い換えると、辺長が１ｍ又は０．１ｍの何れに関係なく、シート抵抗の値は等しい。本実施の形態においては、シート抵抗の値は、シート抵抗を有する感光材料の厚さによって決まる。そのため、本開示において開示されている静電容量式タッチパネルの導線又は周辺回路を成す導電特性及びシート抵抗を有する感光材料は、導線に良好な導電特性を与え、導線又は周辺回路の厚みのムラによって生じる影響を回避する。
【００３７】
本実施の形態において、絶縁フィルム３２（第１の検出電極２８及び第２の検出電極３０が絶縁フィルム３２によって覆われていることを明らかにするために、図２において交差する斜線で示されている）は、絶縁層として用いることができる。絶縁フィルム３２は、第１の検出電極２８及び第２の検出電極３０上に配置されており、複数の開口３４を備える。即ち、第１の導電ユニット２２、第２の導電ユニット、及び第１の導線２６は、絶縁フィルム３２の背面に配置されており、絶縁フィルム３２の開口３４は、第２の導電ユニット２４と並べられている。他方、第２の導線４２は、絶縁フィルム３２の前面に配置されており、第２の導電ユニット２４を接続するために開口３４を介している。
絶縁フィルム３２は、透明絶縁材料で作成されている。
【００３８】
第１の実施の形態の静電容量式タッチパネルの製造方法を図面を参照しつつ以下に説明する。
【００３９】
図３は、本開示の第１の実施の形態に係る静電容量式タッチパネルを作成する第１の工程を示す概略図である。第１の工程は、基板（図示を省略）上に第１軸方向に第１の導電ユニット２２及び第２軸方向に第２の導電ユニット２４を形成し、第１の電極２８を形成するために第１の導電ユニット２２を相互に電気的に接続するための第１の導線２６を形成する工程を含む。
【００４０】
図４は、本開示の第１の実施の形態に係る静電容量式タッチパネルを作成する第２の工程を示す概略図である。第２の工程は、複数の開口３４を形成するために絶縁フィルム３２をエッチングし、図３に示すように、第１の導電ユニット２２、第２の導電ユニット２４、及び第１の導線２６を被覆するために当該絶縁フィルム３２を絶縁層として用い、絶縁フィルム３２の開口３４は、第２の導電ユニット２４に配置される工程を含む。
【００４１】
図５は、第２の工程が完了した後の本開示の第１の実施の形態に係る静電容量式タッチパネルの部分拡大図である。絶縁フィルム３２（第１の検出電極２８及び第２の検出電極３０が絶縁フィルム３２によって覆われていることを示すために、図５において交差する斜線で示されている）は、検出電極の大部分（第１の導電ユニット２２、第１の導線２６、及び第２の導電ユニット２４であって、絶縁フィルム３２の開口３４を介して第２の導電ユニット２４が露出する）を覆い、検出電極を保護することができる。
【００４２】
第３の工程は、第２の導電ユニット２４が相互に第２の電極３０を形成するために第２の導線４２によって接続されるように、絶縁フィルム３２の開口３４で第２の導電ユニット２４相互を電気的に接続するために第２の導線４２を用いる工程を含む。また、基板（図示を省略）上に配置された各々の周辺回路４０は、第１の検出電極２８及び第２の検出電極３０に電気的に接続されている。上述の３つの工程が完了した後に、図２に示される静電容量式タッチパネル２０の構造が得られる。
【００４３】
そのため、導電特性を有する感光材料を備える周辺回路４０を形成したり、第２の導線４２を形成したり、する上述の３つの工程が完了した後に、本実施の形態の静電容量式タッチパネル２０の導線は、感光材料の上述の特性によって良好な電気的な接続を得つつ、裸眼によって簡単に視認されず、そのため、タッチパネルの全体外観を調和させることができる。また、外気に露出した際に第２の導線４２及び周辺回路４０が酸化する問題は、それらの良好な化学的な安定状態によって略改善される。したがって、タッチパネルの基板上に保護層を形成する工程を省略することができる。
【００４４】
図６は、本開示の第２の実施の形態に係る静電容量式タッチパネルの構造を示す概略図である。図６において、第１の実施の形態の静電容量式タッチパネル２０の構造に対する第２の実施の形態の静電容量式タッチパネル５０の構造の違いは、第１の実施の形態の静電容量式タッチパネル２０で存在する絶縁フィルム３２を有していないことである。第２の実施の形態の静電容量式タッチパネル５０において、絶縁層として機能する各々の絶縁ブロック５６が第１の導線５１と第２の導線５８との間に配置されている。
【００４５】
第２の実施の形態の静電容量式タッチパネル５０の構造は、第１の実施の形態の静電容量式タッチパネル２０の構造と略等しいので、重複する説明は省略して以下に説明する。
【００４６】
第２の実施の形態の静電容量式タッチパネル５０の製造工程を図面を参照しつつ以下に説明する。
【００４７】
図７は、本開示の第２の実施の形態に係る静電容量式タッチパネルを作成する第１の工程を示す概略図である。第１の工程は、基板（図示を省略）上に、第１軸方向に第１の導電ユニット５３及び第２軸方向に第２の導電ユニット５４を形成し、第１の電極５２を形成するために、隣接する第１の導電ユニット５３相互を、第１軸方向の第１の導線５１を介して電気的に接続する工程を含む。
【００４８】
図８は、本開示の第２の実施の形態に係る静電容量式タッチパネルを作成する第２の工程を示す概略図である。第２の工程は、各々の第１の導線５１に絶縁ブロック５６を作成する工程を含む。
【００４９】
第３の工程は、第２の電極６２を形成する第２の導電ユニット５４と第２の導線５８とを電気的に接続するように、隣接する第２の導電ユニット５４を各々の絶縁ブロック５６で第２の導線５８を介して電気的に接続し、第１の電極５２から第２の導線５８を絶縁するために絶縁ブロック５６を用いる工程を含む。また、基板（図示を省略）上に形成された各々の周辺回路６０は、第１の検出電極５２及び第２の検出電極６２に電気的に接続される。接触によって第１の検出電極５２と第２の検出電極６２とで生じる容量変化は、周辺回路６０によって制御回路（図示を省略）に伝送することができる。上述の３つの工程が完了した後に、図６に示す静電容量式タッチパネル５０を得ることができる。
【００５０】
第２の実施の形態において、複数の周辺回路６０及び第２の導線５８は、導電特性を有する感光材料で作成されている。そのため、周辺回路６０及び第２の導線５８も、第１の実施の形態の効果を有する。
【００５１】
各々の実施の形態の静電容量式タッチパネルにおける第１の導電ユニット、第２の導電ユニット、及び第１の導線は、酸化インジウムスズ（ITO）のような透明導電材料で作成することができ、絶縁層の絶縁フィルム又は絶縁ブロックは、絶縁材料で作成することができる。上述の各々の要素は、従来のフォトエッチング方法又はプリント方法によって作成することができる。
【００５２】
本開示の効果は、導電特性を有する感光材料で導線及び周辺回路を作成した静電容量式タッチパネルの構造を得る。感光材料が感光特性と導電特性とを同時に有するので、タッチパネルの全体外観が調和するように、良好な電気的な接続を得つつ導線が裸眼によって視認され難い。また、感光材料は化学的に高い安定状態であるので、長い時間に亘って外気に露出した後の感光材料の酸化の問題を改善することができる。そのため、タッチパネルの表面の保護層を作成する工程を省略することができる。
【００５３】
本発明は、好ましい実施の形態及び説明図に基づいて上述したが、それらに限定されるものではない。構造及び実施の形態を実現するための当業者による種々の同等の改変、省略及び変更は、本発明のスコープから逸脱しない範囲で包含される。
【図１】
2014519115.tif 000003
【図２】
2014519115.tif 000004
【図３】
2014519115.tif 000005
【図４】
2014519115.tif 000006
【図５】
2014519115.tif 000007
【図６】
2014519115.tif 000008
【図７】
2014519115.tif 000009
【図８】
2014519115.tif 000010
【手続補正書】
【提出日】平成25年11月28日(2013.11.28)
【手続補正１】
【補正対象書類名】特許請求の範囲
【補正対象項目名】全文
【補正方法】変更
【補正の内容】
【特許請求の範囲】
【請求項１】
検出電極は、複数の導電ユニットと、前記導電ユニットに接続するための複数の導線と、を備え、
前記導線は、導電特性を有する感光材料で作成されている静電容量式タッチパネル。
【請求項２】
前記導電特性を有する感光材料は、金属粒子がドープされた感光材料である請求項１に静電容量式タッチパネル。
【請求項３】
前記金属粒子は、金、銀、銅、鉄又はアルミニウム、及びそれらの任意の組み合わせの１以上を備える請求項２に記載の静電容量式タッチパネル。
【請求項４】
前記導電特性を有する感光材料は、炭素粒子がドープされた感光材料である請求項１に記載の静電容量式タッチパネル。
【請求項５】
前記検出電極は、第１軸方向に配置された第１の検出電極と、第２軸方向に配置された第２の検出電極と、を含み、さらに、前記第１の検出電極と、前記第２の検出電極と、の間に配置された絶縁層を含む請求項１乃至４のいずれか１項に記載の静電容量式タッチパネル。
【請求項６】
各々の前記第１の検出電極は、複数の第１の導電ユニットと、前記第１の導電ユニットを接続する複数の第１の導線と、を備え、
各々の前記第２の検出電極は、複数の第２の導電ユニットと、前記第２の導電ユニットを接続する複数の第２の導線と、を備える請求項５に記載の静電容量式タッチパネル。
【請求項７】
前記絶縁層は、複数の開口を有する絶縁フィルムであって、
前記第１の導電ユニット、前記第２の導電ユニット、及び前記第１の導線は、前記第２の導電ユニットと並べられた複数の開口を有する前記絶縁フィルムの背面に配置され、前記第２の導線は、前記絶縁フィルムの前面に配置され、
前記第２の導電ユニットを接続するために複数の開口を介している請求項６に記載の静電容量式タッチパネル。
【請求項８】
前記絶縁層は、複数の絶縁ブロックを備え、
前記絶縁ブロックは、複数の第１の導線と複数の第２の導線との間に配置されている請求項６に記載の静電容量式タッチパネル。
【請求項９】
前記検出電極は、周辺回路に接続されており、
前記周辺回路及び前記導線は、前記導電特性を有する感光材料で作成されている請求項１乃至８のいずれか１項に記載の静電容量式タッチパネル。
【請求項１０】
基板上に複数の導電ユニットを配置し、検出電極を形成するために前記導電ユニットを接続する複数の導線を配置し、
前記導線は、導電特性を有する感光材料で作成する静電容量式タッチパネルの製造方法。
【請求項１１】
前記導電特性を有する感光材料は、金属粒子がドープされた感光材料である請求項１０に記載の静電容量式タッチパネルの製造方法。
【請求項１２】
前記金属粒子は、金、銀、銅、鉄又はアルミニウム、及びそれらの任意の組み合わせの１以上を備える請求項１１に記載の静電容量式タッチパネルの製造方法。
【請求項１３】
前記導電特性を有する感光材料は、炭素粒子がドープされた感光材料である請求項１０に記載の静電容量式タッチパネルの製造方法。
【請求項１４】
前記検出電極は、第１軸方向に配置された第１の検出電極と、第２軸方向に配置された第２の検出電極と、を備え、
前記第１の検出電極と前記第２の検出電極との間に絶縁層を配置する工程を備える請求項１０に記載の静電容量式タッチパネルの製造方法。
【請求項１５】
各々の前記第１の検出電極は、複数の第１の導電ユニットを備え、
各々の前記第２の検出電極は、複数の第２の導電ユニットを備え、
前記導線は、前記第１の導電ユニットを接続する複数の第１の導線と、前記第２の導電ユニットを接続する複数の第２の導線と、を含む請求項１４に記載の静電容量式タッチパネルの製造方法。
【請求項１６】
前記基板上に、前記第１の導電ユニット、前記第２の導電ユニット、及び前記第１の導線を同時に配置し、
前記第１の導電ユニット、前記第２の導電ユニット、及び前記第１の導線の表面に複数の開口を有する絶縁フィルムを配置し、前記開口を前記第２の導電ユニットと並べる工程をさらに備える請求項１５に記載の静電容量式タッチパネルの製造方法。
【請求項１７】
前記基板上に、前記第１の導電ユニット、前記第２の導電ユニット、及び前記第１の導線を同時に配置し、
前記第１の導線の表面に絶縁ブロックを配置し、
前記絶縁ブロックの表面に前記第２の導線を配置する工程をさらに備える請求項１５に記載の静電容量式タッチパネルの製造方法。
【請求項１８】
前記検出電極と接続された周辺回路を配置する工程をさらに備える請求項１０乃至１７のいずれか１項に記載の静電容量式タッチパネルの製造方法。
【請求項１９】
前記周辺回路を配置する工程、及び複数の前記導線を配置する工程は、同時に実行する請求項１８に記載の静電容量式タッチパネルの製造方法。
【手続補正２】
【補正対象書類名】明細書
【補正対象項目名】全文
【補正方法】変更
【補正の内容】
【発明の詳細な説明】
【技術分野】
【０００１】
本発明は、静電容量式タッチ制御技術に関し、特に静電容量式タッチパネルの構造及びその製造方法に関する。
【背景技術】
【０００２】
一般的に、タッチパネルは、基板表面上に検出領域を備えることによって成しており、タッチ制御の目的を達成するために、検出領域が人の指又はペンのような筆記道具を検出する。透明導電フィルム（例えば、酸化インジウムスズ(ITO)）は、通常、ユーザが表示部の画面に対応する透明導電フィルムにタッチ又は当該透明導電フィルムを押圧するとタッチ制御機能が実現されるように、検出領域のための材料として採用されている。
【０００３】
タッチ制御原理に基づいて、タッチパネルは、種々の形式に分類することができる。その中、透過率、硬さ、正確さ、反応時間、タッチ入力の寿命、動作温度、及び始動力を含む全ての面で長所を有する静電容量式タッチパネルは、多数採用されている。
【０００４】
図１は、従来の静電容量式タッチパネルを示す概略図である。静電容量式タッチパネル１０は、基板１２、基板１２の第１軸方向に配置された第１の検出電極１４、及び基板１２の第２軸方向に配置された第２の検出電極１６を備えている。図１において、ユーザが指又は接地された他の導電体を静電容量式タッチパネル１０に接触させると、タッチ制御点１８が形成され、接触された第１の検出電極１４と第２の検出電極１６とで容量の変化が生じる。そして、このシステム（図示を省略）は、容量の変化が生じた検出電極の位置に基づいて、指が静電容量式タッチパネル１０に接触したタッチ制御点１８の位置を決定する。
【０００５】
静電容量式タッチパネル１０を成すために、基板１２上に第１の検出電極１４及び第２の検出電極１６を実装することは重要である。検出電極は、通常、基板１２上の導電フィルムを覆い、所望のパターンを得るためにフォトエッチングによって不要な領域を除去することによって形成される。
【０００６】
従来の静電容量式タッチパネルにおいて、通常、検出電極は、金属電極材料又は透明導電材料（例えば、ITO）で作成されている。金属電極材料の利用は、裸眼で材料が見えることを許し、また、外気に露出することによって酸化され易い。透明導電材料を用いると、裸眼で材料が見える問題はなくなるが、酸化の問題が残存する。したがって、金属電極材料又は透明導電材料の何れを用いるかに関わりなく、検出電極を保護層で覆う必要があり、タッチパネルの表面に保護層を作成する工程が増加する。
【発明の概要】
【課題を解決するための手段】
【０００７】
本開示は、導電ユニット及び当該導電ユニットを接続する導線を有する検出電極を備え、当該導線は導電特性を有する感光材料で作成されている静電容量式タッチパネルの構造及びその製造方法を提供する。導電特性を有する感光材料は、感光特性と共に導電特性を備えており、タッチパネルの全体外観が調和されるように、導線は裸眼で視認され難く、同時に良好な電気接続を得る。また、導電特性を有する感光材料は、化学的に安定しており、外気に露出された時の酸化の問題を改善し、それ故にタッチパネルの表面に保護層を作成する工程を省略することができる。
【０００８】
本開示は、複数の導電ユニット及び当該導電ユニットを接続するための複数の導線を有する検出電極を備え、前記導線は、導電特性を有する感光材料で作成されていることを特徴とする静電容量式タッチパネルの構造を提供する。
【０００９】
本開示によれば、静電容量式タッチパネルの構造は、導電特性を有する感光材料が、金属粒子がドープされた感光材料であることを特徴とする。
【００１０】
本開示によれば、静電容量式タッチパネルの構造は、前記金属粒子が、金、銀、銅、鉄又はアルミニウム、及びそれらの任意の組み合わせの１以上であることを特徴とする。
【００１１】
本開示によれば、静電容量式タッチパネルの構造は、前記導電特性を有する感光材料が、炭素粒子がドープされた感光材料であることを特徴とする。
【００１２】
本開示によれば、静電容量式タッチパネルの構造は、前記検出電極が、第１軸方向に配置された第１の検出電極と、第２軸方向に配置された第２の検出電極と、を含み、さらに前記第１の検出電極と前記第２の検出電極との間に配置された絶縁層を含むことを特徴とする。
【００１３】
本開示によれば、静電容量式タッチパネルの構造は、各々の前記第１の検出電極が、複数の第１の導電ユニットと、前記第１の導電ユニットを接続する複数の第１の導線と、を含み、各々の前記第２の検出電極は、複数の第２の導電ユニットと、前記第２の導電ユニットを接続する複数の第２の導線と、を含むことを特徴とする。
【００１４】
本開示によれば、静電容量式タッチパネルの構造は、前記絶縁層が、複数の開口を有する絶縁フィルムであって、前記第１の導電ユニット、前記第２の導電ユニット、及び前記第１の導線は、前記絶縁フィルムの背面に備えられ、前記絶縁フィルムの開口は、前記第２の導線と並べられ、前記第２の導線は、前記絶縁フィルムの前面に備えられ、前記第２の導電ユニットに接続するために前記開口を介する。
【００１５】
本開示によれば、静電容量式タッチパネルの構造は、前記絶縁層が、前記第１の導線と前記第２の導線との間に夫々配置された複数の絶縁ブロックを含むことを特徴とする。
【００１６】
本開示によれば、静電容量式タッチパネルの構造は、前記検出電極が周辺回路に接続されていることを特徴とする。
【００１７】
本開示によれば、静電容量式タッチパネルの構造は、前記周辺回路及び前記導線が、導電特性を有する等しい感光材料で作成されていることを特徴とする。
【００１８】
本開示によれば、静電容量式タッチパネルの構造は、前記第１の導電ユニット、前記第２の導電ユニット、及び前記第１の導線が、透明導電材料で作成されていることを特徴とする。
【００１９】
本開示によれば、静電容量式タッチパネルの構造は、前記絶縁層が、透明絶縁材料で作成されていることを特徴とする。
【００２０】
本開示は、基板上に複数の導電ユニットを配置し、検出電極を形成するために前記導電ユニットに接続する複数の導線を配置し、前記導線を導電特性を有する感光材料で作成する静電容量式タッチパネルの製造方法を提供する。
【００２１】
本開示によれば、静電容量式タッチパネルの製造方法は、前記導電特性を有する感光材料が、金属粒子がドープされた感光材料であることを特徴とする。
【００２２】
本開示によれば、静電容量式タッチパネルの製造方法は、前記金属粒子が、金、銀、銅、鉄又はアルミニウム、及びこれらの任意の組み合わせの１以上を含むことを特徴とする。
【００２３】
本開示によれば、静電容量式タッチパネルの製造方法は、前記導電特性を有する感光材料が、炭素粒子がドープされた感光材料であることを特徴とする。
【００２４】
本開示によれば、静電容量式タッチパネルの製造方法は、前記検出電極が、第１軸方向に配置された第１の検出電極と、第２軸方向に配置された第２の検出電極と、を含み、前記方法は、さらに前記第１の検出電極と前記第２の検出電極との間に絶縁層を配置する工程を含むことを特徴とする。
【００２５】
本開示によれば、静電容量式タッチパネルの製造方法は、各々の前記第１の検出電極が、複数の第１の導電ユニットを含み、各々の第２の検出電極は、複数の第２の導電ユニットを含み、前記導線は、前記第１の導電ユニットを接続する複数の第１の導線と、前記第２の導電ユニットを接続する複数の第２の導線と、を含むことを特徴とする。
【００２６】
本開示によれば、静電容量式タッチパネルの製造方法は、以下の工程を含み、
基板上に、第１の導電ユニット、第２の導電ユニット、及び第１の導線を同時に配置し、
前記第１の導電ユニット、前記第２の導電ユニット、及び前記第１の導線の表面に複数の開口を有する絶縁フィルムを配置して前記開口を前記第２の導電ユニットと並べ、
前記絶縁フィルムの表面に第２の導線を配置することを特徴とする。
【００２７】
本開示によれば、静電容量式タッチパネルの製造方法は、以下の工程を含み、
基板上に、第１の導電ユニット、第２の導電ユニット、及び第１の導線を同時に配置し、
各々の前記第１の導線の表面に絶縁ブロックを配置し、
前記絶縁ブロックの表面に前記第２の導線を配置することを特徴とする。
【００２８】
本開示によれば、静電容量式タッチパネルの製造方法は、前記検出電極と接続される周辺回路を配置することを特徴とする。
【００２９】
本開示によれば、静電容量式タッチパネルの製造方法は、周辺回路を配置する工程及び複数の導線を配置する工程を、同時に行うことを特徴とする。
【図面の簡単な説明】
【００３０】
【図１】図１は従来の静電容量式タッチパネルを示す概略図である。
【図２】図２は本開示の第１の実施の形態に係る静電容量式タッチパネルの構造を示す概略図である。
【図３】図３は本開示の第１の実施の形態に係る静電容量式タッチパネルを作成する第１の工程を示す概略図である。
【図４】図４は本開示の第１の実施の形態に係る静電容量式タッチパネルを作成する第２の工程を示す概略図である。
【図５】図５は第２の工程が完了した後の本開示の第１の実施の形態に係る静電容量式タッチパネルの部分拡大図である。
【図６】図６は本開示の第２の実施の形態に係る静電容量式タッチパネルの構造を示す概略図である。
【図７】図７は本開示の第２の実施の形態に係る静電容量式タッチパネルを作成する第１の工程を示す概略図である。
【図８】図８は本開示の第２の実施の形態に係る静電容量式タッチパネルを作成する第２の工程を示す概略図である。
【発明を実施するための形態】
【００３１】
本発明の望ましい形態を、図面を参照しながら以下に説明する。
【００３２】
図２は、本開示の第１の実施の形態に係る静電容量式タッチパネルの構造を示す概略図である。図２において、静電容量式タッチパネル２０は、検出電極、絶縁フィルム３２、及び周辺回路４０を備える。
【００３３】
一実施の形態において、検出電極は、第１軸方向に配置された第１の検出電極２８、及び第２軸方向に配置された第２の検出電極３０を含む。第１の検出電極２８は、複数の第１の導電ユニット２２、及び第１の導電ユニット２２を接続する第１の導線２６を備える。第２の検出電極３０は、複数の第２の導電ユニット２４、及び第２の導電ユニット２４を接続する第２の導線４２を備える。
【００３４】
他の実施の形態において、周辺回路４０は、周辺回路４０によって制御回路（図示を省略）に接触が伝送されることに起因して、容量変化が第１の検出電極２８と第２の検出電極３０とを介して生じるように、第１の検出電極２８と第２の検出電極３０とを接続する。
【００３５】
他の実施の形態において、第１の導電ユニット２２、第２の導電ユニット２４、及び第１の導線２６は、透明導電材料で作成されている。他方、周辺回路４０及び第２の導線４２は、導電特性を有する感光材料で作成されている。導電特性を有する感光材料は、金属粒子及び／又は炭素粒子がドープされた感光材料である。金属粒子は、金、銀、銅、鉄又はアルミニウム、及びそれらの任意の組み合わせを含む。
【００３６】
一般的な感光材料（フォトレジストと一般的に称される）は、導電性ではない。本実施の形態において、導電特性を有する感光材料は、従来の感光材料に金、銀、銅、鉄若しくはアルミニウムを含む導電金属粒子若しくは導電炭素粒子をドープする、又は導電特性を得るためにそれらの任意の組み合わせをドープすることによって得られる。また、感光材料それ自体は、感光性で高度に化学的に安定した状態であり、導電性感光材料は、導電特性、感光性、及び高度に化学的に安定した状態を同時に備えるものである。導線又は周辺回路は、導電性感光材料で作成されると、導電ユニットへの良好な電気的接続は、検出電極を形成するために確立されることができる。また、上述したように追加の保護層が必要ないので、外気に露出することによって酸化し易い導線の問題を、提案した導線によって解決することもできる。
【００３７】
また、感光材料は薄いので、導電特性を有する感光材料が導線又は周辺回路を作成するために用いられると、感光材料は上述のドープによってシート抵抗を有する。フィルムの寸法に適用されると、シート抵抗は一般的に表面抵抗又はフィルム抵抗と称される。シート抵抗は、四角形の大きさに関係なく等しい測定値を有する特性を備える。言い換えると、辺長が１ｍ又は０．１ｍの何れに関係なく、シート抵抗の値は等しい。本実施の形態においては、シート抵抗の値は、シート抵抗を有する感光材料の厚さによって決まる。そのため、本開示において開示されている静電容量式タッチパネルの導線又は周辺回路を成す導電特性及びシート抵抗を有する感光材料は、導線に良好な導電特性を与え、導線又は周辺回路の厚みのムラによって生じる影響を回避する。
【００３８】
本実施の形態において、絶縁フィルム３２（第１の検出電極２８及び第２の検出電極３０が絶縁フィルム３２によって覆われていることを明らかにするために、図２において交差する斜線で示されている）は、絶縁層として用いることができる。絶縁フィルム３２は、第１の検出電極２８及び第２の検出電極３０上に配置されており、複数の開口３４を備える。即ち、第１の導電ユニット２２、第２の導電ユニット、及び第１の導線２６は、絶縁フィルム３２の背面に配置されており、絶縁フィルム３２の開口３４は、第２の導電ユニット２４と並べられている。他方、第２の導線４２は、絶縁フィルム３２の前面に配置されており、第２の導電ユニット２４を接続するために開口３４を介している。
絶縁フィルム３２は、透明絶縁材料で作成されている。
【００３９】
第１の実施の形態の静電容量式タッチパネルの製造方法を図面を参照しつつ以下に説明する。
【００４０】
図３は、本開示の第１の実施の形態に係る静電容量式タッチパネルを作成する第１の工程を示す概略図である。第１の工程は、基板（図示を省略）上に第１軸方向に第１の導電ユニット２２及び第２軸方向に第２の導電ユニット２４を形成し、第１の電極２８を形成するために第１の導電ユニット２２を相互に電気的に接続するための第１の導線２６を形成する工程を含む。
【００４１】
図４は、本開示の第１の実施の形態に係る静電容量式タッチパネルを作成する第２の工程を示す概略図である。第２の工程は、複数の開口３４を形成するために絶縁フィルム３２をエッチングし、図３に示すように、第１の導電ユニット２２、第２の導電ユニット２４、及び第１の導線２６を被覆するために当該絶縁フィルム３２を絶縁層として用い、絶縁フィルム３２の開口３４は、第２の導電ユニット２４に配置される工程を含む。
【００４２】
図５は、第２の工程が完了した後の本開示の第１の実施の形態に係る静電容量式タッチパネルの部分拡大図である。絶縁フィルム３２（第１の検出電極２８及び第２の検出電極３０が絶縁フィルム３２によって覆われていることを示すために、図５において交差する斜線で示されている）は、検出電極の大部分（第１の導電ユニット２２、第１の導線２６、及び第２の導電ユニット２４であって、絶縁フィルム３２の開口３４を介して第２の導電ユニット２４が露出する）を覆い、検出電極を保護することができる。
【００４３】
第３の工程は、第２の導電ユニット２４が相互に第２の電極３０を形成するために第２の導線４２によって接続されるように、絶縁フィルム３２の開口３４で第２の導電ユニット２４相互を電気的に接続するために第２の導線４２を用いる工程を含む。また、基板（図示を省略）上に配置された各々の周辺回路４０は、第１の検出電極２８及び第２の検出電極３０に電気的に接続されている。上述の３つの工程が完了した後に、図２に示される静電容量式タッチパネル２０の構造が得られる。
【００４４】
そのため、導電特性を有する感光材料を備える周辺回路４０を形成したり、第２の導線４２を形成したり、する上述の３つの工程が完了した後に、本実施の形態の静電容量式タッチパネル２０の導線は、感光材料の上述の特性によって良好な電気的な接続を得つつ、裸眼によって簡単に視認されず、そのため、タッチパネルの全体外観を調和させることができる。また、外気に露出した際に第２の導線４２及び周辺回路４０が酸化する問題は、それらの良好な化学的な安定状態によって略改善される。したがって、タッチパネルの基板上に保護層を形成する工程を省略することができる。
【００４５】
図６は、本開示の第２の実施の形態に係る静電容量式タッチパネルの構造を示す概略図である。図６において、第１の実施の形態の静電容量式タッチパネル２０の構造に対する第２の実施の形態の静電容量式タッチパネル５０の構造の違いは、第１の実施の形態の静電容量式タッチパネル２０で存在する絶縁フィルム３２を有していないことである。第２の実施の形態の静電容量式タッチパネル５０において、絶縁層として機能する各々の絶縁ブロック５６が第１の導線５１と第２の導線５８との間に配置されている。
【００４６】
第２の実施の形態の静電容量式タッチパネル５０の構造は、第１の実施の形態の静電容量式タッチパネル２０の構造と略等しいので、重複する説明は省略して以下に説明する。
【００４７】
第２の実施の形態の静電容量式タッチパネル５０の製造工程を図面を参照しつつ以下に説明する。
【００４８】
図７は、本開示の第２の実施の形態に係る静電容量式タッチパネルを作成する第１の工程を示す概略図である。第１の工程は、基板（図示を省略）上に、第１軸方向に第１の導電ユニット５３及び第２軸方向に第２の導電ユニット５４を形成し、第１の電極５２を形成するために、隣接する第１の導電ユニット５３相互を、第１軸方向の第１の導線５１を介して電気的に接続する工程を含む。
【００４９】
図８は、本開示の第２の実施の形態に係る静電容量式タッチパネルを作成する第２の工程を示す概略図である。第２の工程は、各々の第１の導線５１に絶縁ブロック５６を作成する工程を含む。
【００５０】
第３の工程は、第２の電極６２を形成する第２の導電ユニット５４と第２の導線５８とを電気的に接続するように、隣接する第２の導電ユニット５４を各々の絶縁ブロック５６で第２の導線５８を介して電気的に接続し、第１の電極５２から第２の導線５８を絶縁するために絶縁ブロック５６を用いる工程を含む。また、基板（図示を省略）上に形成された各々の周辺回路６０は、第１の検出電極５２及び第２の検出電極６２に電気的に接続される。接触によって第１の検出電極５２と第２の検出電極６２とで生じる容量変化は、周辺回路６０によって制御回路（図示を省略）に伝送することができる。上述の３つの工程が完了した後に、図６に示す静電容量式タッチパネル５０を得ることができる。
【００５１】
第２の実施の形態において、複数の周辺回路６０及び第２の導線５８は、導電特性を有する感光材料で作成されている。そのため、周辺回路６０及び第２の導線５８も、第１の実施の形態の効果を有する。
【００５２】
各々の実施の形態の静電容量式タッチパネルにおける第１の導電ユニット、第２の導電ユニット、及び第１の導線は、酸化インジウムスズ（ITO）のような透明導電材料で作成することができ、絶縁層の絶縁フィルム又は絶縁ブロックは、絶縁材料で作成することができる。上述の各々の要素は、従来のフォトエッチング方法又はプリント方法によって作成することができる。
【００５３】
本開示の効果は、導電特性を有する感光材料で導線及び周辺回路を作成した静電容量式タッチパネルの構造を得る。感光材料が感光特性と導電特性とを同時に有するので、タッチパネルの全体外観が調和するように、良好な電気的な接続を得つつ導線が裸眼によって視認され難い。また、感光材料は化学的に高い安定状態であるので、長い時間に亘って外気に露出した後の感光材料の酸化の問題を改善することができる。そのため、タッチパネルの表面の保護層を作成する工程を省略することができる。
【００５４】
本発明は、好ましい実施の形態及び説明図に基づいて上述したが、それらに限定されるものではない。構造及び実施の形態を実現するための当業者による種々の同等の改変、省略及び変更は、本発明のスコープから逸脱しない範囲で包含される。
【手続補正３】
【補正対象書類名】図面
【補正対象項目名】全図
【補正方法】変更
【補正の内容】
【図１】
2014519115.tif 000011
【図２】
2014519115.tif 000012
【図３】
2014519115.tif 000013
【図４】
2014519115.tif 000014
【図５】
2014519115.tif 000015
【図６】
2014519115.tif 000016
【図７】
2014519115.tif 000017
【図８】
2014519115.tif 000018
【国際調査報告】
2014519115.tif 000019
2014519115.tif 000020